(57)【要約】【課題】  従来、酒、焼酎等のガラス製ボトルの包装は一般に厚紙による有底円筒（カートン）及び筒状の蓋よりなり、硬いため偏平折畳み不能で嵩張るため一般的に用い難いという欠陥があった。  又模造紙、ガスバリヤ性フィルム、合成樹脂シート、紐包装袋は柔軟であり、形が崩れ易くガラス製ボトル又は瓶の有形包装には適用し難いという問題があった。【解決手段】  横断面ほぼ正方形の有底紙筒１の上端開口部５が内側に２重５’に折畳まれ、上記２重折畳部５’の対向内端をそれぞれ延長して開口部閉鎖片５ｃを形成し、互いに対向する上記２重折畳部５’のそれぞれ両隅角５”寄りに紐挿通透孔７，７を穿設し、上記対向２重折畳部５’，５’の外面から上記隅角５”の内部に至り、さらに隣接する２重折畳部５’，５’の外面に至る一連の結び紐８を上記透孔７に挿通してなる瓶の包装紙袋。【選択図】  図１
2005289406.tif 000002
【特許請求の範囲】
【請求項１】
横断面ほぼ正方形の有底紙筒の上端開口部が内側に２重に折畳まれ、
上記２重折畳部の対向内端をそれぞれ延長して開口部閉鎖片を形成し、
互いに対向する上記２重折畳部のそれぞれ両隅角寄りに紐挿通透孔を穿設し、
上記対向２重折畳部の外面から上記隅角の内部に至り、さらに隣接する２重折畳部の外面に至る一連の結び紐を上記透孔に挿通してなる瓶の包装紙袋。
【請求項２】
上記開口部閉鎖片の３片がほぼ正方形で上記２重開口部の下端部を該閉鎖片で閉鎖し、１片を延長方向に短い長方形に形成した請求項１記載の瓶の包装紙袋。
【請求項３】
上記１連の結び紐が環状に連結されてなる請求項１又は２記載の瓶の包装紙袋。
【請求項４】
上記紙筒の下端開口部を対向方向に直角に折曲げて該開口部を閉鎖し、折曲げ対接縁の両端に形成された３角形折畳片を対向方向に直角に折曲げて底面を形成し、
上記対接縁と上記３角形折畳片との間又は直角に折曲げた３角形折畳片の下面に正方形補強片を貼着して有底紙筒を形成した請求項１〜３のいずれかに記載の瓶の包装紙袋。
【請求項５】
上記２重折畳部の対向内端から直角に折曲げた開口部閉鎖片の下から上記紙筒の底面に着脱自在に挿入する折畳自在の中ケースを備えた請求項１〜４のいずれかに記載の瓶の包装紙袋。
【発明の詳細な説明】
【技術分野】
【０００１】
本発明は酒、焼酎等のガラス瓶を包装する紙袋に関するものである。
【背景技術】
【０００２】
従来、酒、焼酎等のガラス製ボトルの包装は一般に厚紙による有底円筒（カートン）及び筒状の蓋よりなり、硬いため偏平折畳み不能で嵩張るため一般的に用い難いという欠陥があった。
【０００３】
又模造紙、ガスバリヤ性フィルム、合成樹脂シート、紐包装袋は柔軟であり、形が崩れ易くガラス製ボトル又は瓶の有形包装には適用し難いという問題があった（例えば特許文献１）。
【０００４】
【特許文献１】特開２００２−１６０３２１号公報
【発明の開示】
【発明が解決しようとする課題】
【０００５】
本発明は模造紙のような柔軟紙を用いてボトル又は瓶を収容する包装紙であってボトル又は瓶を包装紙内に上下左右に固定し、
しかも包装紙の横断面正方形筒状の外形を充分保持し、空時に偏平折畳容易な普遍的で簡易なガラス瓶等の包装袋を得ることを目的とする。
【課題を解決するための手段】
【０００６】
上記の目的を達成するため本発明は
第１に横断面ほぼ正方形の有底紙筒の上端開口部が内側に２重に折畳まれ、上記２重折畳部の対向内端をそれぞれ延長して開口部閉鎖片を形成し、互いに対向する上記２重折畳部のそれぞれ両隅角寄りに紐挿通透孔を穿設し、上記対向２重折畳部の外面から上記隅角の内部に至り、さらに隣接する２重折畳部の外面に至る一連の結び紐を上記透孔に挿通してなる瓶の包装紙袋、
第２に上記開口部閉鎖片の３片がほぼ正方形で上記２重開口部の下端部を該閉鎖片で閉鎖し、１片を延長方向に短い長方形に形成した上記第１発明記載の瓶の包装紙袋、
第３に上記１連の結び紐が環状に連結されてなる上記第１又は第２発明記載の瓶の包装紙袋、
第４に上記紙筒の下端開口部を対向方向に直角に折曲げて該開口部を閉鎖し、折曲げ対接縁の両端に形成された３角形折畳片を対向方向に直角に折曲げて底面を形成し、上記対接縁と上記３角形折畳片との間又は直角に折曲げた３角形折畳片の下面に正方形補強片を貼着して有底紙筒を形成した上記第１〜第３発明のいずれかに記載の瓶の包装紙袋、
第５に上記２重折畳部の対向内端から直角に折曲げた開口部閉鎖片の下から上記紙筒の底面に着脱自在に挿入する折畳自在の中ケースを備えた上記第１〜第４発明のいずれかに記載の瓶の包装紙袋、
によって構成される。
【発明の効果】
【０００７】
従って酒、焼酎等の瓶やボトルを上記有底紙筒内に直接挿入し、又は該瓶やボトルを収容した上記ケースを上記有底紙筒内に上端開口部から収容し、底部で支持し、瓶やボトルの上端注口蓋又は中ケースの上端部で４枚の上記開口部閉鎖片を支持し、紐で４方の２重折畳部を対向方向に絞ることにより瓶やボトルは直接又は中ケースを介して底部と上記閉鎖片との間に上下に支持され、横断面正方形の紙筒の内面で前後左右に支持される。
【０００８】
又上記紙筒は収容した瓶又はボトル又は中ケースと相俟って正方形紙筒に保持され、かつ紐の締付けによって開口部の形が堅固に形成され、紙筒の外形が強く保持されるばかりでなく、
上記紙筒及び中ケースは空時に偏平に折畳み得て多量輸送に適し得る効果がある。
【発明を実施するための最良の形態】
【０００９】
横幅約１０ｃｍの横断面ほぼ正方形の紙筒１を形成する。
【００１０】
上記紙筒１は図６(イ)図、図７(イ)図及び図８等の柔軟展開紙１’の４個の上下方向折畳線２，２，２，２から９０度折曲げられ、右側の糊代３を左側縁に貼着して形成され、紙には洋紙、模造紙等を用いる。
【００１１】
上記紙筒１の下端開口部４ｅ（図４（ロ）図、図５）は上記折畳線２，２，２に沿って下端から約５ｃｍ（横幅の１／２）折込んで互いに直交する４個の底片４’，４’，４’，４’を形成し、図４(ロ)図及び図５に示すように対向方向に９０度折曲げて下端開口部４ｅを閉鎖し、折曲げ対接縁４”，４”の両端に３角形折畳片４ａ，４ａを形成する。
【００１２】
上記対接縁４”、４”の両側の２個の底片４’，４’の下面に一辺約１０ｃｍの正方形補強片４ｂを貼着し、該補強片４ｂの下面に上記３角形折畳片４ａ，４ａを対向方向に折重ねて貼着して有底紙筒１及び該紙筒１の底面４を形成する。
【００１３】
上記補強片４ｂは上記底片４’，４’の下面に直接折重ねて貼着した３角形折畳片４ａ，４ａの下面に貼着し下端開口部に底面４を形成することができる。
【００１４】
又図８に示すように一つ置きの底片４’，４’の長さを９０度折畳線４ｃから１０ｃｍとし、その間の３角形折畳予定底片４’，４’の長さを５ｃｍとすることによって、該１０ｃｍ底片４’，４’を２重に貼着し、又は双方の１０ｃｍ底片４’，４’内に３角形折畳片４ａ，４ａを挟み込んで貼着し、有底紙筒１及び該紙筒１の上記底面４を形成することができる。
【００１５】
上記中ケース９は図９に示すように厚紙板又は硬紙板によって横断面４角形の筒形に形成された中箱であって、図１０（イ）図に示すように偏平に２重に折畳まれる。
【００１６】
上記ケース９の折畳状態から横断面正４角形に拡大させる場合は内側に折込まれている半底板１０’，１０’（図１０（ロ）図）が、図１０（ハ）図に示すように閉鎖されて底板１０を形成し、上端に開閉蓋１０”、蓋受片１０ａ，１０ａを付設するが、上記底板１０、開閉蓋１０”、蓋受片１０ａ，１０ａのいずれか又は全部を省略した筒形中箱を中ケース９とすることができる。
【００１７】
尚図中４ｄは上記底片４’，４’間の切込み線である。
【００１８】
このように形成した有底紙筒１の上端開口部５を図６（イ）図、図７（イ）図及び図８に示す第１折曲線５ａから図２（イ）図に示すように紙筒１の内側に折込んで２重折畳部５’を形成し、
さらに図２（ロ）図に示すように該２重折畳部５’の対向内端をそれぞれ第２折曲線５ｂから１０ｃｍ延長し、かつ該延長部を上下方向折畳線２，２，２，２に沿う切込線５ｄ，５ｄ，５ｄに沿って切込み、該延長部によって互いに隣接する４枚のほぼ正方形の開口部閉鎖片５ｃとする（図２（ロ）（ハ）図）。
【００１９】
上記２重折畳部５’は一辺が約１０ｃｍのほぼ正方形の上端開口部５を形成し、互いに対向する２重折畳部５’，５’及び５’，５’の下方に延長した上記閉鎖片５ｃ，５ｃ，５ｃ，５ｃは第２折曲線５ｂから上向に折返して開口し（図２（ロ）図）、焼酎瓶６のみ又は焼酎瓶６を収容した上記中ケース９を図２（ハ）図に示すように有底紙筒１内に挿入又は嵌合（収容）した後第２折曲線５ｂから上記閉鎖片５ｃ，５ｃ，５ｃ，５ｃを水平に順次折曲げて中ケース９の上端部又は瓶６の蓋６’の上面で該閉鎖片５ｃ，５ｃ，５ｃ，５ｃを横向に支持する（図２（ハ）図にその状態を示す）。
【００２０】
上記対向２重折畳部５’，５’及び５’，５’のそれぞれの外面から両隅角５”，５”寄りに紐挿通透孔７，７をそれぞれ穿設し、上記外面から上記両隅角５”，５”の内部に至り、さらに隣接する対向２重折畳部５’の外面に至る一連の結び紐８を上記透孔７，７に挿通し、該紐８を環状（無端）に連結する（図１（イ）図にその状態を示す）。
【００２１】
上記開口部閉鎖片５ｃ，５ｃ，５ｃは全部１０ｃｍ４角とし又は１個を第２折曲線から約６ｃｍ〜４ｃｍの長方形５ｃ’と短くなして（図２（ロ）図、図６（イ）図）、これを最上層開口用手掛りとすることができる。
【００２２】
上記紐８を図１（イ）図矢印ａ，ａの方向又はその直角方向或は上方に牽引することにより、４方の上記隅角部５”，５”，５”，５”のそれぞれ両側が内側に近接し、かつ該紐８を結ぶことによって図１（ロ）図に示すように開口部５を収縮させ、収縮状態に保持することができ、収容したポット、瓶６又は上記ケース９の上端及び底面を上記閉鎖片５ｃ，５ｃ，５ｃ，５ｃ及び紙筒底面４間に固定し、かつ上記紙筒１の２対向面間に図２（ハ）図に示すように包装することができる。
【００２３】
ポット又は瓶６或は中ケース９を収容しない場合は図１（イ）図又は図３（イ）図に示す上下方向折畳線２，２およびその中間折畳線２’及び底部山形斜線２”に沿って偏平に折畳むことができ（その状態を図３（イ）（ロ）図に示す）、又上記中ケース９も図１０に示すように単独又は上記有底紙筒１内に収容した状態のまま偏平に折畳むことができ、多数積み重ねて梱包しメーカー宛輸送することができる。
【図面の簡単な説明】
【００２４】
【図１】（イ）図は本発明の瓶の包装紙袋を示す斜視図、（ロ）図は開口部を紐で閉鎖した状態の斜視図である。
【図２】（イ）図は開口部の斜視図、（ロ）図は閉鎖片を上向に立てた状態の斜視図、（ハ）図は瓶又はボトルを収容した状態の斜視図である。
【図３】（イ）図は紙筒を偏平に折畳んだ状態の正面図、（ロ）図は（イ）図を左方より見た側面図である。
【図４】（イ）図は正方形補強片、（ロ）図は上記紙筒の折畳状態底面図である。
【図５】上記底面に上記補強片を重合する状態の斜視図である。
【図６】（イ）（ロ）図は上記紙筒及び正方形補強片の展開図である。
【図７】（イ）（ロ）図は４方の上記閉鎖片がそれぞれ正方形である上記紙筒の展開図である。
【図８】４方の上記閉鎖片が１つ置きに正方形及び長方形である上記紙筒の展開図である。
【図９】中ケースを示す斜視図である。
【図１０】（イ）図は中ケースの偏平折畳状態図、（ロ）図は上記中ケースの変形開き状態の底面図、（ロ）図は上記中ケースの変形開き状態の底面図、（ハ）図は上記ケースの正方形開き状態の底面図である。
【符号の説明】
【００２５】
１      有底紙筒
４      底面
４’    底片
４”    対接縁
４ａ    ３角形折畳片
４ｂ    正方形補強片
５      上端開口部
５’    ２重折畳部
５ｃ    開口部閉鎖片
５ｃ’  長方形閉鎖片
５”    隅角
７      紐挿通透孔
８      結び紐
９      中ケース
【図１】
2005289406.tif 000003
【図２】
2005289406.tif 000004
【図３】
2005289406.tif 000005
【図４】
2005289406.tif 000006
【図５】
2005289406.tif 000007
【図６】
2005289406.tif 000008
【図７】
2005289406.tif 000009
【図８】
2005289406.tif 000010
【図９】
2005289406.tif 000011
【図１０】
2005289406.tif 000012